(57)【要約】【課題】構造強度に優れ、軽量で安価な壁パネルとその取付構造、及びこれを備えた建物を提供することを目的とする。【解決手段】本発明の壁パネル１は、石膏ボード（不燃無機質板体）２と、この石膏ボード２の一方の面と他方の面と端面とを覆う状態に貼着積層された金属板３、４とからなることを特徴とする。【選択図】      図１
2004293284.tif 000002
【特許請求の範囲】
【請求項１】
不燃無機質板体と、この不燃無機質板体の一方の面と他方の面と端面とを覆う状態に貼着積層された金属板とからなることを特徴とする壁パネル。
【請求項２】
不燃無機質板体と、この不燃無機質板体の両側または上下側の端面に設けられた金属製の補強材と、この不燃無機質板体と補強材とからなる板状体の一方の面と他方の面と端面とを覆う状態に貼着積層された金属板とからなることを特徴とする壁パネル。
【請求項３】
前記不燃無機質板体は、石膏ボードからなることを特徴とする請求項１または２記載の壁パネル。
【請求項４】
前記不燃無機質板体または不燃無機質板体と補強材とからなる板状体の端面を覆う金属板は、一方または他方の面を覆う金属板を、端面を覆う状態に、折り曲げ形成されたものであることを特徴とする請求項１〜３のいずれか１項に記載の壁パネル。
【請求項５】
前記不燃無機質板体または不燃無機質板体と補強材とからなる板状体の一方の面を覆う金属板の表面に、タイル、石材、塗料のいずれか１つ以上の加飾用材料を付加したことを特徴とする請求項１〜４のいずれか１項に記載の壁パネル。
【請求項６】
請求項２記載の壁パネルが建物に取り付けられた壁パネルの取付構造であって、前記補強材が建物の構造体に取り付けられていることを特徴とする壁パネルの取付構造。
【請求項７】
請求項１〜５のいずれか１項に記載の壁パネルが建物に取り付けられた壁パネルの取付構造であって、前記不燃無機質板体または不燃無機質板体と補強材とからなる板状体の端面を覆う金属板が前記端面から外方に突出されて取付片が形成され、該取付片が建物の構造体に取り付けられていることを特徴とする壁パネルの取付構造。
【請求項８】
請求項６または７記載の壁パネルの取付構造を備えたことを特徴とする建物。
【発明の詳細な説明】
【技術分野】
【０００１】
本発明は、壁パネルとその取付構造、及びこれを備えた建物に関する。
特に、耐火性や防火性に優れた外壁パネルとして好適な壁パネルとその取付構造、及びこれを備えた建物に関する。
【背景技術】
【０００２】
一般に、石膏ボード等の不燃無機質板体は、耐火性、防火性、断熱性、防音性等の特性に優れ、安価であること等から、建物の内装材や天井材等として広く使用されている。
しかしながら、石膏ボード等は、水や湿気に弱くて、水分を多く含むと損傷し易くなるし、水分を含まなくとも単体としての強度は決して大きくなく、そのままでは外壁材として使用できない。
【０００３】
しかし、上記のように、石膏ボードは耐火性、防火性、断熱性、防音性等の特性に優れているので、表面に金属板を取り付けたり裏面に木材や鉄材等の枠材を取り付けて補強し、外壁材として使用されている。
例えば、溝形鋼で形成した枠体の外面側に耐火性外装材を貼着し内面側に石膏ボード等の内装材を貼着し、前記枠体と耐火性外装材との間に波形亜鉛鉄板を介在させた壁パネルが耐火パネルとして記載され、知られている（特許文献１参照）。
【０００４】
また、石膏ボードの両面に金属板を取り付けて耐火性、耐水性、遮音性を向上させたものが知られている（特許文献２参照）。
また、建設省認定の不燃軸組防火構造に登録されている防火第１０２号に記載されている壁は、亜鉛鉄板を外側に石膏ボードを内側にして組み合わせたものをＣ形鋼で構成された不燃軸組に取り付けたものである（非特許文献３参照）。
【０００５】
石膏ボード以外の不燃無機質板体である硬質木片セメント板や珪酸カルシウム板等をそのまま外壁に使用することもあるが、通常、これ等の不燃無機質板体は脆いので、不燃無機質板体に補強材を取り付けて補強して使用することが多い。
例えば、不燃無機質板体の一方の面には両側縁に沿って金属製の桟材を、他方の面には金属板を取り付けたものが知られている（特許文献４参照）。
また、前記防火第１０２号の石膏ボードの代わりに、岩綿保温板や繊維混入セメント珪酸カルシウム板を使用した防火第１０３号、防火第１２９４号の壁も知られている（非特許文献５参照）。
【０００６】
【特許文献１】実公昭６１−２０８８９号公報
【特許文献２】特開２００１−６２９５４号公報
【非特許文献３】建設省認定「防火第１０２号」
【特許文献４】特公昭５６−２１９６７号公報
【非特許文献５】建設省認定「防火第１０３号、防火第１２９４号」
【発明の開示】
【発明が解決しようとする課題】
【０００７】
しかしながら、特許文献１に記載の壁パネルでは、枠体の屋内側に石膏ボードを、また、屋外側に耐火性外装材と波形亜鉛鉄板をそれぞれ貼着するし、特許文献４に記載の壁パネルでは、不燃無機質板体の一方の面に桟材を、また、他方の面に金属板を取り付けるというように、いずれも、金属製の枠体や桟材を必須としている。
このため、壁パネルとしての強度は確保できるものの、金属製の枠体や桟材等の材料費でコスト高になったり、金属製の枠体や桟材等の重量で軽量化を損なうものであった。
【０００８】
また、特許文献２に記載されている壁パネルでは、石膏ボードの両面に金属板が取り付けられているので、両面から湿気や水が浸入しないが、端面には金属板がないので、この端面から湿気や水分が浸入し構造強度が低下する。
また、非特許文献３および５に記載されている防火第１０２号、防火第１０３号、防火第１２９４号として認定されている不燃軸組防火構造は、いずれも、不燃枠組の外側に亜鉛鉄板を取り付け、内側に石膏ボードや岩綿保温板や繊維混入セメント珪酸カルシウム板等を取り付けたものであるから、石膏ボードや岩綿保温板や繊維混入セメント珪酸カルシウム板等の裏面や端面には、亜鉛鉄板がなく、この裏面や端面から吸湿して構造強度の低下を招く恐れがある。
【０００９】
そこで、本発明の目的は、上記の問題点を解消し、構造強度に優れ、軽量で安価な壁パネルとその取付構造、及びこれを備えた建物を提供することである。
【課題を解決するための手段】
【００１０】
本発明は上記目的を達成するためになされたものであって、請求項１記載の発明は、不燃無機質板体と、この不燃無機質板体の一方の面と他方の面と端面とを覆う状態に貼着積層された金属板とからなることを特徴とする壁パネルである。
【００１１】
請求項２記載の発明は、不燃無機質板体と、この不燃無機質板体の両側または上下側の端面に設けられた金属製の補強材と、この不燃無機質板体と補強材とからなる板状体の一方の面と他方の面と端面とを覆う状態に貼着積層された金属板とからなることを特徴とする壁パネルである。
【００１２】
上記請求項１及び２記載の本発明に使用する不燃無機質板体としては、石膏ボード、珪酸カルシウム板、石綿珪酸カルシウム板、岩綿保温板、硬質木片セメント板、石綿スレート板、軽量気泡コンクリート板等が好適に使用される。特に、石膏ボードが好適である。
この不燃無機質板体の厚みは適宜でよいが、１０〜２０ｍｍが好ましく、特に、１２〜１５ｍｍが好ましい。
【００１３】
この不燃無機質板体を覆う金属板としては、鋼板、ステンレス鋼板、アルミニウム板、これ等の合金等の適宜の金属板がある。そして、これ等の中から耐蝕性や加工性等を考慮して選択される。特に、鋼板は耐熱性や透湿性に優れているので好ましい。
上記金属板の厚さは、特に制限されないが、厚くなると機械的強度が得られ、好ましいが、一方で、重量増で作業性や加工性が悪くなる。従って、これ等を考慮して適宜設定すればよい。また、厚さが０．０５ｍｍ未満の場合には、加熱されたときに破損し易く耐火性が劣るようになるので、金属板の厚さは、０．０５ｍｍ以上が好ましい。更に好ましくは、０．１０〜２．０ｍｍの範囲である。
【００１４】
なお、金属板を鋼板とした壁パネルを外壁パネルとして使用するときには、耐久性を向上させるために、金属板にメッキや塗装を施して錆を防ぐようにするとよい。メッキは通常用いられるものでよく、亜鉛メッキ、アルミニウムメッキ、それらの合金メッキが好適である。塗装に使用する塗料としては、アクリル樹脂、ポリエステル樹脂等の有機系樹脂を主成分とする塗料が好適である。
【００１５】
上記金属板の貼着積層には、接着剤を使用するとよい。この際、接着剤の種類には特に制限はないが、水系接着剤やエマルジョン系接着剤が公害の発生が少なく、安価であるし、性能がよいので好適である。特に好ましいものとして、酢酸ビニル系接着剤、アクリル系接着剤等を挙げることができる。但し、水系接着剤やエマルジョン系接着剤を使用するときには、水が石膏ボード等の不燃無機質板体の強度を弱めるので、接着剤を使用する前に十分に乾燥しておくことが重要である。
【００１６】
上記壁パネルは、予め、金属板−接着剤層−石膏ボード−接着剤層−金属板の層構成にし、端面に金属板を取り付けるようにしてもよいし、請求項４記載の発明のように、一方または他方の面を覆う金属板を、端面を覆う状態に折り曲げていて、この金属板と別の金属体とを、その間に石膏ボードを挟んで重ね合わせるようにしてもよい。
上記請求項２記載の発明における補強材は、壁パネルの機械的強度を大きくし、且つ、壁パネルを取り付ける際に利用するものである。
【００１７】
この補強材は、不燃無機質板体の両側または上下側の端面に設けられているが、これは、不燃無機質板体の上下の端面に設けられていてもよいし、左右の端面に設けられていてもよいし、上下及び左右の端面、即ち、四周の端面に設けられていてもよいことを意味している。
特に、不燃無機質板体の両側だけに取り付けると、痛み易い壁パネルの両側が保護され、痛みが少なくなるし、四周に取り付けるより重量が増加しないので好ましい。
この補強材の材質としても特に限定ないが、金属、木質系材料、樹脂等が好ましい。
【００１８】
ここに使用する金属としては、鋼、アルミニウム、及び、これ等の合金等を挙げることができる。特に、鋼が耐熱性や強度やコスト等に優れているので好ましい。形状としては、特に限定しないが、断面形状がロ形、コ形、Ｉ形等の長尺体が好ましい。特に、断面形状ロ形の長尺体が比較的軽くて機械的強度が大きいので好ましい。この際の金属の厚みは０．５ｍｍ以上が好ましく、更に、１．０ｍｍ〜２．０ｍｍが好ましい。
この厚みが０．５ｍｍ以上が好ましい理由は、厚みが０．５ｍｍ未満であると、壁パネルを柱や梁に固定したときに、壁パネルを保持するための強度を確保することができなくなるためである。
【００１９】
特に、鋼製の補強材を取り付けた壁パネルを外壁として使用するときには、耐久性が問題になるので、補強材にメッキや塗装を施して錆を防ぐようにするとよい。メッキは通常用いられるものでよく、亜鉛メッキ、アルミニウムメッキ、それらの合金メッキが好適である。塗装に使用する塗料としては、アクリル樹脂、ポリエステル樹脂等の有機系樹脂からなる塗料が好適である。
【００２０】
また、補強材に使用する木質系材料や樹脂としては、種類に特に制限がないが、木材や、ポリエチレン樹脂・ポリ塩化ビルニ樹脂等の汎用樹脂だけでなく、合板や合成木材等の木質材料や特殊な樹脂や、これ等の木質材料や樹脂と他の材料とを組み合わせた複合体や積層体を挙げることができる。そして、形状としては、金属程の強度が得られ難いので中空体を避けた方がよい。
【００２１】
請求項３記載の発明は、請求項１または２記載の壁パネルにおいて、前記不燃無機質板体は、石膏ボードからなることを特徴とする。
【００２２】
上記請求項３記載の発明に使用する石膏ボードとは、石膏を主成分として板状体にしたものであって、通常、石膏の上下の面に厚紙を設けて機械的強度を大きくしたものが使用されるが、石膏の中に繊維材料を混入して強化したものであってもよいし、上下の面に厚紙がない状態のまま形成した厚紙のない石膏ボードであってもよい。
最も一般的な石膏ボードは、主原料の石膏を焼成し、パーライト等を混入して水で練り、これを芯材として両面を厚紙で挟み、板状に成形したものである。
【００２３】
請求項４記載の発明は、請求項１〜３のいずれか１項に記載の壁パネルにおいて、前記不燃無機質板体または不燃無機質板体と補強材とからなる板状体の端面を覆う金属板は、一方または他方の面を覆う金属板を、端面を覆う状態に、折り曲げ形成されたものであることを特徴とする。
【００２４】
上記請求項４記載の本発明における金属板の折り曲げについては、プレス機や絞り加工機等で金属板の端部を略Ｌ字形、略Ｚ字形、あるいは略コ字形等の形状に形成して、不燃無機質板体の端面を覆うようするとよい。
この際、不燃無機質板体の他方の面を覆う金属板は、平板とし、上記一方の面を覆う金属板の折り曲げた端部と重ね合わせて接合するすると、一方と他方の金属板が不燃無機質板体の全面を覆った状態に一体化し、強度を一層向上させることができる。
また、一方と他方の金属板が連続した１枚の金属板であって、この１枚の金属板で不燃無機質板体を包み込むようにしてもよい。
【００２５】
請求項５記載の発明は、請求項１〜４のいずれか１項に記載の壁パネルにおいて、前記不燃無機質板体または不燃無機質板体と補強材とからなる板状体の一方の面を覆う金属板の表面に、タイル、石材、塗料のいずれか１つ以上の加飾用材料を付加したことを特徴とする。
【００２６】
この請求項５記載の本発明に使用する石材としては、大理石、御影石等の自然石の板体や、珪砂や珪砂粉末、ゼオライト粉末等の自然石の粉末や、人造軽石やスラグ等の人造石等を挙げることができる。
また、タイルとしては、磁器タイルやセメント系のタイルや合成樹脂タイル等があるが、磁器タイルが美麗であるし、耐久性に優れているので好ましい。
このタイルや板状の石材の加飾用材料を付加するときには、セメントモルタルを使用してもよいが、合成樹脂系接着剤等を使用すると、簡単に付加することができるので好ましい。
【００２７】
この磁器タイルや板状の石材を接着する接着剤としては、弾性があり接着強度が大きく、耐候性や耐久性に優れたものが好ましい。かかる接着剤としては、エポキシ系接着剤や変成シリコーン系接着剤やこの両者を混合した接着剤等を挙げることができる。
耐久性向上のため、接着剤に砂等の石材を配合したり、目地部や隙間にモルタルを充填してもよい。
この磁器タイルや板状の石材を付加する際に、合成樹脂系の接着剤を使用すると、バーナー等でタイルや石材の表面を加熱すると接着剤が軟化して剥がすことができるので、タイルや石材が破損したときに、バーナーで加熱して剥がし、別のタイルや石材を張り付ける等して補修することができ、便利である。
【００２８】
粉末状の石材を付加する際に接着剤や塗料の中に入れて使用するとよい。
加飾材料である塗料を付加する場合には、耐候性、耐水性等のよい塗料を選ぶとよい。
なお、加飾する際に表面の金属板に凹凸を設けていると、加飾の効果が増加するので好ましい。
【００２９】
請求項６記載の発明は、請求項２記載の壁パネルが建物に取り付けられた壁パネルの取付構造であって、前記補強材が建物の構造体に取り付けられていることを特徴とする。
【００３０】
請求項７記載の発明は、請求項１〜５のいずれか１項に記載の壁パネルが建物に取り付けられた壁パネルの取付構造であって、前記不燃無機質板体または不燃無機質板体と補強材とからなる板状体の端面を覆う金属板が前記端面から外方に突出されて取付片が形成され、該取付片が建物の構造体に取り付けられていることを特徴とする。
【００３１】
上記請求項６または７記載の発明における建物の構造体とは、壁パネルを取り付けても十分な機械的強度を有する建物の部材をいい、具体的には、柱、間柱、梁等をいう。
そして、この建物の構造体に壁パネルを取り付けるには、釘、ビス、リベット等の固定具を使用して取り付けるとよい。
この壁パネルを取り付ける手段としては、屋外側から取り付けてもよいし、屋内側から取り付けてもよい。
【００３２】
請求項８記載の発明は、建物であって、請求項７記載の壁パネルの取付構造を備えたことを特徴とする。
（作用）
【００３３】
このように構成された請求項１記載の壁パネルによると、不燃無機質板体と、この不燃無機質板体の一方の面と他方の面と端面とを覆う状態に貼着積層された金属板とからなるので、耐火性、防火性に優れるとともに、所謂サンドイッチ構造となって、曲げ剛性や曲げ強度、衝撃強度、面内剪断強度が向上し、構造強度に優れたものとなる。
しかも、不燃無機質板体の端面にも金属板が貼着積層されているので、不燃無機板体の全面が金属板で覆われた状態になり、吸湿や吸水による強度の低下がなく、耐久性に優れる。
【００３４】
更に、従来の壁パネルのように、金属製の枠体や桟材を設けていないので、軽量で安価なものにできる。
また、不燃無機質板体の面から突出している枠体や桟材を設けないので、壁パネルを薄くすることができる。
従って、工場で壁パネルを建物の構造体に取り付けた建物ユニットを製造し、この建物ユニットを施工現場で組み立てて建物なすユニット建物に適用すると極めて効果的である。
【００３５】
即ち、建物ユニットは、トラックで施工現場に運搬する関係で幅が制限されているが、壁パネルの厚みが小さいと、建物の構造体からの壁パネルの出寸法がそれだけ小さくなり、内側の部屋の寸法を大きくすることができるし、加飾用材料を付加する際には、加飾用材料による厚みを大きくすることができ、模様の自由度が増す。
請求項２記載の壁パネルによると、不燃無機質板体と、この不燃無機質板体の両側または上下側の端面に設けられた金属製の補強材と、この不燃無機質板体と補強材とからなる板状体の一方の面と他方の面と端面とを覆う状態に貼着積層された金属板とからなるので、請求項１記載の発明と同様に、耐火性に優れるとともに、所謂サンドイッチ構造となって、曲げ剛性と曲げ強度、衝撃強度、面内剪断強度が向上すると共に、補強材による機械的強度の向上とがあいまって、構造強度に優れたものとなる。
【００３６】
しかも、不燃無機質板体の両側または上下側の端面には、金属製の補強材が設けられ、端面部分の機械的強度が極めて大きくなっていて、壁パネルの端面に物が衝突しても破損しないし、この補強材を利用して壁パネルを強固に取り付けることができる。
また、不燃無機質板体と補強材とからなる板状体の端面にも金属板が貼着積層されているので、不燃無機質板耐の全面が覆われた状態になり、吸湿や吸水による強度の低下がなく、耐久性に優れる。
【００３７】
また、補強材は不燃無機質板体の端面に設けられているので、厚みが増加せず、この壁パネルをユニット建物に適用させたときに、内側の部屋の寸法を大きくしたり、加飾用材料の厚みを大きくすることができる。
なお、不燃無機質板体の端面と補強材とは接触面積が少なく、この不燃無機質板体と補強材だけであると、大きな力が加わったときに剥がれ易いが、この請求項２記載の発明では、金属板で包まれた状態になっていて、不燃無機質板体と補強材とが剥がれ難いし、剥がれても金属板が支えるのでばらばらにならない。
【００３８】
請求項３記載の壁パネルによると、請求項１または２記載の壁パネルにおいて、前記不燃無機質板体が、石膏ボードからなるので、請求項１や２記載の発明の作用に加えて、更に、石膏ボードの耐火性、断熱性、防音性等の特性を活かした安価な壁パネルとなる。
【００３９】
請求項４記載の壁パネルによると、請求項１〜３のいずれか１項記載の壁パネルにおいて、前記不燃無機質板体または不燃無機質板体と補強材とからなる板状体の端面を覆う金属板は、一方または他方の面を覆う金属板を、端面を覆う状態に、折り曲げ形成されたものであるので、請求項１〜３に記載されている作用に加えて、更に、一方または他方の面を覆う金属板を取り付けるだけで、端面を覆う金属板を設けることができ、この端部を覆う金属板を設け易いし、端面の透湿、防水の確保が容易である。
【００４０】
請求項５記載の壁パネルによると、更に、前記不燃無機質板体または不燃無機質板体と補強材とからなる板状体の一方の面を覆う金属板の表面に、タイル、石材、塗料のいずれか１つ以上の加飾用材料を付加したので、意匠性に優れたものとなる。
【００４１】
請求項６記載の発明の壁パネルの取付構造によると、前記補強材が建物の構造体に取り付けられているので、不燃無機質板体が脆くとも、補強材を建物の構造材に取り付けることによって、壁パネルを強固に取り付けることができるし、取付金具を別途用意する必要がなく、取付の施工性がよい。
【００４２】
請求項７記載の壁パネルの取付構造によると、前記不燃無機質板体または不燃無機質板体と補強材とからなる板状体の端面を覆う金属板が前記端面から外方に突出されて取付片が形成され、該取付片が建物の構造体に取り付けられているので、取付金具を別途用意する必要がなく、取付の施工性がよい。
【００４３】
請求項８記載の建物は、請求項６または７記載の壁パネルの取付構造を備えたものであるので、耐火性と壁の構造強度に優れ、安価に施工性よく構築できる。
【発明の効果】
【００４４】
請求項１記載の壁パネルは、不燃無機質板体と、この不燃無機質板体の一方の面と他方の面と端面とを覆う状態に貼着積層された金属板とからなるから、耐火性に優れるとともに、所謂サンドイッチ構造となって、曲げ剛性や曲げ強度、衝撃強度、面内剪断強度が向上し、構造強度に優れたものとなるし、不燃無機質板体の全面が金属板が覆われた状体になり、吸湿や吸水による強度の低下がなく、耐久性に優れた壁パネルである。
更に、従来の壁パネルのように、金属製の枠体や桟材が設けられていないので、軽量で安価なものにできる。また、厚みを薄くすることができ、ユニット建物に適用したときに、内部の部屋を大きくすることができるし、加飾用材料を付加する際に、加飾用材料による厚みを大きくすることができ、加飾の自由度が増える好ましい壁パネルである。
【００４５】
請求項２記載の壁パネルは、不燃無機質板体と、この不燃無機質板体の両側または上下側の端面に設けられた金属製の補強材と、この不燃無機質板体と補強材とからなる板状体の一方の面と他方の面と端面とを覆う状態に貼着積層された金属板とからなるから、耐火性に優れるとともに、所謂サンドイッチ構造となって、曲げ剛性と曲げ強度、衝撃強度、面内剪断強度が向上すると共に、補強材による機械的強度の向上とがあいまって、構造強度に優れたものとなるし、壁パネルの端面に物が衝突しても壁パネルが破損しないし、この補強材を利用して壁パネルを建物の構造材に簡単に取り付けることができるし、板状体の全面が覆われた状態になり、吸湿や吸水による強度の低下がなく、耐久性に優れた壁パネルである。
【００４６】
なお、この補強材は端面に設けられていて、補強材を設けることによって厚みが増加しない。従って、建物の構造体からの出寸法を小さくすることができ、ユニット建物に適用したときに、内側の部屋を大きくすることができるし、加飾用材料を付加する際に、加飾用材料による厚みの増加を大きくすることができ、加飾の自由度が増す好ましい壁パネルである。
【００４７】
請求項３記載の壁パネルは、請求項１または２記載の壁パネルにおいて、前記不燃無機質板体は、石膏ボードからなるから、前記請求項１や請求項２に記載されている効果に加えて、更に、石膏ボードの耐火性、断熱性、防音性等の特性を活かした安価な壁パネルである。
【００４８】
請求項４記載の壁パネルは、請求項１〜３のいずれか１項に記載の壁パネルであって、前記不燃無機質板体または不燃無機質板体と補強材とからなる板状体の端面を覆う金属板は、一方または他方の面を覆う金属板を、端面を覆う状態に、折り曲げ形成されたものであるから、前記請求項１〜３に記載の効果に加えて、更に、一方または他方の面を覆う金属板を不燃無機質板体または不燃無機質板体と補強材とからなる板状体に取り付けるだけで、端面を覆う金属板を設けることができ、端面に金属板を設け易いし、端面の防湿・防水の確保が簡単にできる。
【００４９】
請求項５記載の壁パネルは、請求項１〜４のいずれか１項に記載の壁パネルにおいて、前記不燃無機質板体または不燃無機質板体と補強材とからなる板状の一方の面を覆う金属板の表面にタイル、石材、塗料のいずれか１つ以上の仮称材料を付加したから、前記請求項１〜４に記載の効果に加えて、更に、意匠性に優れた壁パネルである。
【００５０】
請求項６記載の壁パネルの取付構造は、請求項２記載の壁パネルが建物に取り付けられた壁パネルの取付構造であって、前記補強材が建物の構造体に取り付けられているから、不燃無機質板体が脆くても、補強材を建物の構造体に取り付けることによって、壁パネルを強固に取り付けることができる。従って、取付金具を別途用意する必要がなく、取付の施工性のよい取付構造である。
【００５１】
請求項７記載の壁パネルの取付構造は、前記不燃無機質板体の端面を覆う金属板を前記端面から外方に突出させて取付片を形成し、該取付片が建物の構造体に取り付けられているから、取付金具を別途用意する必要がなく、取付の施工性のよい取付構造である。
【００５２】
請求項８記載の建物は、請求項６または７記載の壁パネルの取付構造を備えたものであるから、耐火性と壁の構造強度に優れ、安価に施工性よく構築できる建物である。
【発明を実施するための最良の形態】
【００５３】
以下、本発明を実施するための最良の形態を実施例で詳細に説明する。
【実施例１】
【００５４】
図１〜図４は本発明の一実施例であって、図１（イ）は壁パネルの斜視図、（ロ）は（イ）の断面図である。図２は端部形状が異なる金属板の断面図である。図３（イ）は図１の壁パネルの取付構造を示す断面図、（ロ）は壁パネルの異なる取付構造を示す断面図である。図４は比較例１、２の壁パネルであって、（イ）は分解斜視図である。（ロ）と（ハ）は（イ）のＡ−Ａ線におけるそれぞれの断面図である。
【００５５】
（壁パネル）
実施例１の壁パネル１は、図１に示すように、長方形の石膏ボード２（不燃無機質板体）と、この石膏ボード２の上面と、この上面と対向する下面と、四周の端面とを覆う状態に貼着積層した金属板３、４とからなる。
石膏ボード２は、長辺略２８００ｍｍ、短辺略９００ｍｍ、厚さ略１５ｍｍの板体である。
金属板３、４は、いずれも、厚さ略０．２７ｍｍの亜鉛メッキ鋼板であり、後述の取付片３１を形成することができるように、石膏ボード２より一回り大きい長方形の板体である。
【００５６】
そして、前述石膏ボード２の上面（一方の面）を覆う金属板３は、石膏ボード２の各端面を覆う状態にＺ形に折り曲げ形成されている。
なお、この実施例１では、図１（ロ）に示すように、端部を略Ｚ字形状に折り曲げた金属板３を使用するが、図２（イ）に示すように、端部を略Ｌ字形状に折り曲げた金属板３Ａであってもよいし、（ロ）に示すように、石膏ボード２の他方の面まで回り込りませてコ字形状に折れ曲げた金属板３Ｂであってもよい。
【００５７】
前記石膏ボード２の下面（他方の面）を覆う金属板４は、折り曲げずに平板になされている。
壁パネル１の製造方法は、接着剤５が塗布された他方の金属板４の中央部分の上に石膏ボード２を載置し、この上から接着剤が塗布された一方の金属板３で載置し、石膏ボード２を上下から金属板３、４で挟み、金属板４の周縁部と金属板３のＺ形形状に折り曲げた端部を石膏ボード２の端面より水平方向に突出させた状態に重ね合わせて取付片３１を形成させて、全体を接着剤５で貼着し一体化する。
従って、この壁パネル１は、図１（ロ）に示すように、一方の金属板３が石膏ボード２の一方の面を覆い、この金属板３の略Ｚ字形状の垂直部で石膏ボード２の端面を覆い、他方の金属板４が石膏ボード２の他方の面を覆っていて、周縁部に取付片３１が形成されている。
【００５８】
なお、一方の金属板３の端部を、図２（イ）、（ロ）に示したように、略Ｌ字形状またはコ字形状に折り曲げて石膏ボード２の端面を覆うようにした場合は、他方の金属板３の端部だけを石膏ボード２の端面より水平方向に突出させ、この突出した部分で取付片３１を形成させたものであってもよい。
また、上記のように構成された壁パネル１において、石膏ボード２の一方の面を覆う金属板３の表面に、塗料層、タイルまたは石材からなる加飾用材料を付加してもよい。
【００５９】
（壁パネルの取付構造と建物）
この実施例１の壁パネル１の取付構造は、図３（イ）に示すように、この取付片３１を建物の柱７に押し付け、屋外側からビス６を取付片３１を通して柱７に螺入して取り付けたものであり、この実施例１の建物（不図示）は、この壁パネル１の取付構造を備えて構築されたものである。
このように、図３（イ）においては、上記の取付片３１は、ビス６を使用して屋外側から柱７に取り付けられているが、釘やリベットであってもよいし、また、屋内側から取り付けてもよい。例えば、断面コ字形長尺体や断面Ｃ字形長尺体の金属製の柱７Ａである場合には、図３（ロ）に示すように屋内側から取付片３１と柱７Ａに予め設けられている通孔３２に挿入されたリベット６Ａで壁パネル１を柱７Ａに取り付けてもよい。
【００６０】
（壁パネルの評価試験）
この実施例１の壁パネル１の評価試験結果を、比較例１、２の壁パネル１０、１０Ａと対比しながら、以下説明する。
評価試験に使用した壁パネル１の試験体と、比較例１、２の壁パネル１０、１０Ａの試験体は、いずれも、略同じ大きさで、長辺略２８００ｍｍ×短辺略９００ｍｍの長方形の板体である。
そして、比較例１、２の壁パネル１０、１０Ａは、いずれも、図４（イ）に示すように、面材２０または面材２０Ａを、金属製の枠体３０に接着剤５０で貼り付けたものである。
【００６１】
枠体３０は、角鋼管（略１０ｍｍ×略３０ｍｍ×厚さ略１ｍｍ）を日字形に枠組したもので、実施例１の壁パネル１と略同じ大きさの長方形（長辺略２８００ｍｍ×短辺略９００ｍｍ）をしている。
比較例１の面材２０は、図４（ロ）に示すように、厚さ略１５ｍｍの石膏ボード２の表面に厚さ略０．２７ｍｍの亜鉛メッキ鋼板製の金属板３を接着剤で貼り付けたものである。そして、壁パネル１０は、この面材２０の裏面に上記枠体３０を接着剤５０で接着したものである。
【００６２】
上記石膏ボード２と金属板３との接着、及び枠体３０と石膏ボード２との接着に使用した接着剤５０は、いずれも酢酸ビニル系樹脂からなるエマルジョン系接着剤であり、この接着剤５０の塗布量は、略１００ｇ／ｍ2 である。
比較例２の面材２０Ａは、図４（ハ）に示すように、厚さ略１５ｍｍの硬質木片セメント板であり、壁パネル１０Ａは、この面材２０Ａの裏面側に上記枠体３０を同じ接着剤５０で接着したものである。
【００６３】
この実施例１の壁パネル１と、上記比較例１、２の壁パネル１０、１０Ａの試験体を用いて、ＪＩＳ−Ａ−１４１４に規定する「パネル及びその構造部分の性能試験方法」に基づいてパネル強度試験を行った。
表１は、単純曲げ試験の結果を示したものであり、表２は面内剪断試験の結果を示したものであり、表３は衝撃試験の結果を示したものである。
【００６４】
【表１】
2004293284.tif 000003
【００６５】
【表２】
2004293284.tif 000004
【００６６】
【表３】
2004293284.tif 000005
【００６７】
上記強度試験の結果、表１〜３に示すように、石膏ボード２を２枚の金属板３、４で挟み込む実施例１の壁パネル１は、裏面に鋼管製の枠体３０で補強された比較例１、２の壁パネル１０、１０Ａと略同等であり、硬質木片セメント板に匹敵する強度（衝撃試験では壁パネル１の方がやや強度が大きい）を確認でき、壁パネルとして十分使用できることが判る。
【００６８】
（実施例１の作用）
この実施例１の壁パネル１によると、石膏ボード２（不燃無機質板体）の一方の面と他方の面の両面を覆う状態で、金属板３、４が貼着積層されているので、耐火性に優れるとともに、いわゆるサンドイッチ構造となって、曲げ剛性、曲げ強度、面内剪断強度、衝撃強度等が向上し、構造強度に優れていて、壁パネルとして十分使用できる。
しかも、石膏ボード２の端面にも、端部を折り曲げた金属板３が貼着積層されているので、石膏ボード２の全面が金属板３、４で覆われた状態になり、吸湿や吸水による強度の低下がなく、耐久性に優れ、石膏ボードの耐火性、断熱性、防音性等の特性を活かした安価な壁パネルである。
【００６９】
更に、比較例の壁パネル１０、１０Ａのように、面から突出する金属製の枠体３０が設けられてないので、軽量で安価なものにできるし、厚みが増加せず、この壁パネル１をユニット建物に適用させたときに内側の部屋の寸法を大きくしたり加飾用材料の厚みを大きくすることができる。
また、この壁パネル１を取り付けた取付構造では、石膏ボード２の端面から外方に突出させて取付片３１が形成されているので、この取付片３１を建物の柱７に取り付けることができるので、取付金具を別途用意する必要がなく取付の施工性がよい。
この壁パネル１を取り付けた建物は、上記壁パネル１の取付構造を備えたものであるから、耐火性と防火性に優れると同時に、壁の構造強度や施工性に優れた壁を安価に構築できる建物である。
【実施例２】
【００７０】
図５〜図８は本発明の他の実施例であって、図５（イ）は壁パネルの斜視図、（ロ）は（イ）の断面図である。図６は端部形状が異なる壁パネルの断面図である。図７（イ）は図５の壁パネルの取付構造を示す断面図、（ロ）は図６の壁パネルの取付構造を示す断面図である。図８は比較例３、４の壁パネルの分解斜視図である。
【００７１】
（壁パネル）
この実施例２の壁パネル１ａは、図５に示すように、長方形の石膏ボード２ａ（不燃無機質板体）と、この石膏ボード２ａの上面と対向する下面と四周の端面とを覆う状態に貼着積層した金属板３ａ、４ａとからなる。
石膏ボード２ａは、長辺略２８００ｍｍ、短辺略９００ｍｍ、厚さ略１５ｍｍの板体である。
【００７２】
金属板３ａ、４ａは、いずれも、厚さ略０．２７ｍｍの亜鉛メッキ鋼板である。
前記石膏ボード２ａの上面（一方の面）を覆う金属板３ａは、石膏ボード２ａより一回り大きな長方形の板体である。そして、壁パネル１ａを製造する際には、中央部分を石膏ボード２ａと略同じ大きさの平板にし、この平板の前後左右に突出する部分を略直角に折曲したものを使用する。
また、石膏ボード２ａの下面（他方の面）を覆う金属板４ａは、石膏ボード２ａと略同じ大きさの平板である。
【００７３】
そして、壁パネル１ａの製造方法は、接着剤５ａを塗布した金属板４ａの上に石膏ボード２ａを載置して石膏ボード２ａを金属板４ａに接着し、この上から接着剤５ａを塗布した金属板３ａを被せ、折り曲げられている部分の中に石膏ボード２ａを入れ、この折り曲げている部分で石膏ボード２ａの端面を覆い、石膏ボード２ａから下方に突している部分を更に裏側に折曲してコ字形状にして、この折曲している部分を金属板４ａに重合して、全体を接着剤５ａで貼着し一体化する。
【００７４】
従って、この壁パネル１ａは、図５に示すように、一方の金属板３ａが石膏ボード２ａの一方の面を覆い、この金属板３ａのコ字形状の垂直部で石膏ボード２ａの端面を覆い、他方の金属板４ａが石膏ボード２ａの他方の面を覆っている。
なお、この実施例２に使用する金属板３ａは、図５（ロ）に示すように、端部を略コ字形状に折り曲げたものを使用しているが、図６に示す金属板３Ａａのように、金属板４ａの延長方向に突出させた状態に一旦外方向に折り曲げた後に折り返して、石膏ボード２ａから外方向に突出した取付片３１ａを形成させたものでもよい。
【００７５】
前者の図５（イ）に示す壁パネル１ａは屋内側から建物の構造体に取り付けるときに適したものであり、後者の図５（ロ）に示す壁パネル１Ａａは屋外側から取り付けるときに適したものである。
なお、上記のように構成された壁パネル１ａ、１Ａａにおいては、石膏ボード２ａの一方の面を覆う金属板３ａの表面に、塗料層、タイルまたは石材からなる加飾用材料を付加してもよい。
【００７６】
（壁パネルの取付構造と建物）
この実施例２の壁パネル１ａの取付構造は、図７（イ）に示すように、一方の金属片３ａと他方の金属片４ａとが重合している部分を断面Ｃ形（略９０ｍｍ×略６０ｍｍ、厚み略１．６ｍｍ、内側に突出している突出片の長さ１０ｍｍ）の間柱７Ａａに押し当て、屋内側からこの間柱７Ａａに予め設けられている通孔や金属片３ａ、４ａの通孔に通したリベット６Ａａで、壁パネル１ａを間柱７Ａａに取り付けたものであり、この実施例２の建物（不指示）は、この壁パネル１の取付構造を備えて構築されたものである。
【００７７】
なお、屋外側から取り付ける場合には、図６（ロ）に示す外壁パネル１ａを図７（ロ）に示すように、屋外側から木製の柱７ａに取付片３１ａを押し当て、この取付片３１ａから木製の柱７ａにビス６ａを螺入して取り付ければよい。
（壁パネルの評価試験）
この実施例２の壁パネル１ａの評価試験結果を、比較例３、４の壁パネル１０ａ、１０Ａａと対比しながら、以下説明する。
評価試験に使用した壁パネル１ａの試験体と、比較例３、４の壁パネル１０ａ、１０Ａａの試験体は、いずれも、略同じ大きさで、長辺略２８００ｍｍ×短辺略９００ｍｍの長方形である。
【００７８】
即ち、比較例３、４に使用する壁パネル１０ａ、１０Ａａは、図８（イ）に示すように、面材２０ａまたは面材２０Ａａを、金属製の枠体３０ａに接着剤５０ａで貼り付けたものである。
枠体３０ａは、角鋼管（略１０ｍｍ×略３０ｍｍ×厚さ略１ｍｍ）を日字形状に枠組したもので、実施例２の前記壁パネル１ａと略同じ大きさの長方形（長辺略２８００ｍｍ×短辺略９００ｍｍ）をしている。
【００７９】
そして、壁パネル１０ａは、厚さ略１５ｍｍの石膏ボードの面材２０ａを枠体３０ａに接着剤５０ａで接着し、この面材２０ａの表面の片側だけに厚さ略０．２７ｍｍの亜鉛メッキ鋼板製の金属板３ａを貼り付けた後に、金属板３ａの側縁部を折り曲げて、面材２０ａと枠３０ａの側縁部を覆ったものである。
上記面材２０ａと金属板３ａとの接着、及び枠体３０ａと面材２０ａとの接着に使用する接着剤５０ａは酢酸ビニル系樹脂からなるエマルジョン系接着剤であり、この接着剤５０ａの塗布量は、略１００ｇ／ｍ2 である。
【００８０】
比較例２の面材２０Ａａは、図８（ロ）に示すように、厚さ略１５ｍｍの硬質木片セメント板であり、壁パネル１０Ａａは、この面材２０Ａａの裏面側に上記枠体３０ａを接着したものである。
この実施例２の壁パネル１ａと、上記比較例３、４の壁パネル１０ａ、１０Ａａの試験体を用いて、ＪＩＳ−Ａ−１４１４に規定する「パネル及びその構造部分の性能試験方法」に基づいてパネル強度試験を行った。
表４は、単純曲げ試験の結果を示したものであり、表５は面内剪断試験の結果を示したものであり、表６は衝撃試験の結果を示したものである。
【００８１】
【表４】
2004293284.tif 000006
【００８２】
【表５】
2004293284.tif 000007
【００８３】
【表６】
2004293284.tif 000008
【００８４】
上記強度試験の結果、表４〜６に示すように、石膏ボード２ａを２枚の金属板３ａ、４ａで挟んだ実施例２の壁パネル１ａは、裏面に鋼管製の枠体３０ａで補強された比較例３、４の壁パネル１０ａ、１０Ａａと略同等であり、硬質木片セメント板に匹敵する強度（衝撃試験では壁パネル１ａの方がやや強度が大きい）を確認でき、壁パネルとして十分使用できることが判る。
【００８５】
（実施例２の作用）
この実施例２の壁パネル１ａによると、石膏ボード２ａ（不燃無機質板体）の一方の面と他方の面と端面を覆う状態で、金属板３ａ、４ａが貼着積層されているので、耐火性に優れるとともに、所謂サンドイッチ構造となって、曲げ剛性、曲げ強度、面内剪断強度、衝撃強度等が向上し、構造強度に優れている。
【００８６】
また、石膏ボード２ａの端面にも、端部を折り曲げた金属板３ａが貼着積層されているので、石膏ボード２ａの全面が金属板３ａ、４ａで覆われた状態になり、吸湿や吸水による強度の低下がなく、耐久性に優れ、石膏ボードの耐火性、断熱性、防音性等の特性を活かした安価な壁パネルである。
【００８７】
更に、比較例の壁パネル１０ａ、１０Ａａのように、金属製の枠体３０ａを設けてないので、軽量で安価なものにできるし、実施例２の壁パネル１ａの厚みが略１５ｍｍであるのに対して、比較例３と比較例４の壁パネル１０ａ、１０Ａａの厚みが略３０ｍｍ（石膏ボード２ａまたは硬質木片セメント板２０Ａａの厚みの厚み＋枠体３０ａの厚み）であるというように、実施例２の壁パネル１ａの厚みが小さく、ユニット建物に適用したときに、内側の部屋の寸法を大きくしたり、加飾用材料による厚みを大きくすることができる。
【００８８】
また、この壁パネル１ａを取り付けた取付構造では、屋外方向からでも屋内方向からでも、取付金具を別途用意することなく取り付けることができるし、取付の施工性のよい取付構造である。
この壁パネル１ａを取り付けた建物は、上記壁パネル１ａの取付構造を備えたものであるから、耐火性、防火性に優れると同時に、壁の構造強度や施工性に優れた壁を安価に構築できる。
【実施例３】
【００８９】
図９〜図１１は本発明の別の実施例であって、図９（イ）は壁パネルの斜視図、（ロ）は（イ）の断面図、（ハ）は板状体の正面図である。図１０は端部形状が異なる壁パネルの断面図である。図１１（イ）は図９の壁パネルの取付構造を示す断面図、（ロ）は図１０の壁パネルの取付構造を示す断面図である。
【００９０】
（壁パネル）
この実施例３の壁パネル１ｂは、図９に示すように、長方形の石膏ボード２ｂ（不燃無機質板体）と枠体８ｂとからなる板状体９ｂと、この板状体９ｂの上面と対向する下面と四周の端面とを覆う状態に貼着積層した金属板３ｂ、４ｂとからなる。
石膏ボード２ｂは長辺略２８００ｍｍ、短辺８２０ｍｍ、厚さ略１５ｍｍの板体である。
また、枠体８ｂは長さ２８００ｍｍ、高さ略１５ｍｍ、幅略３０ｍｍ、厚み略１．６ｍｍの四角筒体である。
【００９１】
そして、この枠体８ｂは石膏ボード２ｂの両側の端面に接着剤で接着されて、長辺略２８００ｍｍ、短辺略９００ｍｍ、厚さ略１５ｍｍの板状体９ｂになされている。
従って、石膏ボード２ｂと枠体８ｂからなる板状体９ｂは、長辺略２８００ｍｍ、短辺略９００ｍｍ、厚さ略１５ｍｍである。
金属板３ｂ、４ｂは、いずれも、厚さ略０．２７ｍｍの亜鉛メッキ鋼板である。
【００９２】
前記石膏ボード２ｂの上面（一方の面）を覆う金属板３ｂは、板状体９ｂより一回り大きな長方形の板体である。そして、壁パネル１ｂを製造する際には、中央部分を板状体９ｂと略同じ大きさの平体にし、この平板の前後左右に突出する部分を略直角に折曲して使用する。
また、板状体９ｂの下面（他方の面）を覆う金属板４ｂは、板状体９ｂと略同じ大きさの平板である。
【００９３】
壁パネル１ｂの製造方法は、図９（ハ）に示すように、石膏ボード２ｂの両側に枠体８ｂを取り付けて板状体９ｂを製造し、この板状体９ｂを接着剤５ｂが塗布された金属板４ｂの上に載置して板状体９ｂを金属板４ｂに接着し、この上から接着剤５ｂが塗布された金属板３ｂを被せ、折り曲げられている部分の中に板状体９ｂを入れて、折り曲げられている部分で板状体９ｂの端面を覆い、板状体９ｂから下方に突している部分を更に裏側に折曲してコ字形状にして、金属板４ｂに重合して、全体を接着剤５ｂで貼着し一体化する。
【００９４】
従って、この壁パネル１ｂは、図９に示すように、一方の金属板３ｂが石膏ボード２ｂの一方の面を覆い、この金属板３ｂのコ字形状の垂直部で石膏ボード２ｂの端面を覆い、他方の金属板４ｂが石膏ボード２ｂの他方の面を覆っている。
なお、この実施例３に使用する金属板３ｂは、図９（ロ）に示すように、端部を略コ字形状に折り曲げたものを使用するが、図１０に示す金属板３Ａｂのように、金属板４ｂの延長方向に突出させた状態に一旦外方向に折り曲げた後に折り返して、石膏ボード２ｂから外方向に突出した取付片３１ｂを形成させたものでもよい。
【００９５】
前者の図９（イ）や（ロ）に示す壁パネル１ｂは屋内側から建物の構造体に取り付けるときに適したものであり、後者の図１０に示す壁パネル１ｂは屋外側から取り付けるときに適したものである。
なお、上記のように構成された壁パネル１ｂにおいては、板状体９ｂの一方の面を覆う金属板３ｂの表面に、塗料層、タイルまたは石材からなる加飾用材料を付加してもよい。
【００９６】
（壁パネルの取付構造と建物）
この実施例３の壁パネル１ｂの取付構造は、図１１（イ）に示すように、一方の金属片３ｂと他方の金属片４ｂとが重合している部分を断面Ｃ形（略９０ｍｍ×略６０ｍｍ、厚み略１．６ｍｍ、内側に突出している突出片の長さ１０ｍｍ）の間柱７Ａｂに押し当て、屋内側からこの間柱７Ａｂの予め設けられている通孔と金属片３ａ、４ａの通孔に通されたリベット６Ａａで、壁パネル１ａを間柱７Ａｂに取り付けたものであり、この実施例２の建物（不指示）は、この壁パネル１の取付構造を備えて構築されたものである。
【００９７】
なお、屋外側から取り付ける場合には、図６（ロ）に示す外壁パネル１Ａｂを図７（ロ）に示すように、屋外側から木製の柱７ｂに取付片３１ｂを押し当て、この取付片３１ｂから木製の柱７ｂにビス６ｂを螺入して取り付ければよい。
（壁パネルの評価試験）
この実施例３の壁パネル１ｂの評価試験結果を、比較例５、６の壁パネル１０ｂ、１０Ａｂと対比しながら、以下説明する。
評価試験に使用する比較例１ｂ、２ｂの壁パネル１０ｂ、１０Ａｂの試験体は、実施例２に使用した試験体と略同じであるので、説明を省略する。
【００９８】
この実施例３の壁パネル１ｂと、上記比較例５、６の壁パネル１０ｂ、１０Ａｂの試験体を用いて、ＪＩＳ−Ａ−１４１４に規定する「パネル及びその構造部分の性能試験方法」に基づいてパネル強度試験を行った。
表７は、単純曲げ試験の結果を示したものであり、表８は面内剪断試験の結果を示したものであり、表９は衝撃試験の結果を示したものである。
【００９９】
【表７】
2004293284.tif 000009
【０１００】
【表８】
2004293284.tif 000010
【０１０１】
【表９】
2004293284.tif 000011
【０１０２】
上記強度試験の結果、表７〜９に示すように、石膏ボード２ｂと枠体８ｂからなる板状体９ｂを２枚の金属板３ｂ、４ｂで挟んだ実施例３の壁パネル１ｂは、裏面に鋼管製の枠体３０ｂで補強された比較例１、２の壁パネル１０ｂ、１０Ａｂと略同等であり、硬質木片セメント板に匹敵する強度（衝撃試験では壁パネル１ｂの方がやや強度が大きい）を確認でき、壁パネルとして十分使用できることが判る。
【０１０３】
（実施例３の作用）
実施例３の壁パネル１によると、石膏ボード２ｂ（不燃無機質板体）と枠体８ｂからなる板状体９ｂの一方の面と他方の面の両面を覆う状態で、金属板３、４が貼着積層されているので、耐火性に優れるとともに、いわゆるサンドイッチ構造となって、補強材によりる強度の増加とあいまって、曲げ剛性、曲げ強度、面内剪断強度、衝撃強度等が向上し、構造強度に優れている。
【０１０４】
また、板状体８ｂの端面にも、端部を折り曲げた金属板３ｂが貼着積層されているので、板状体８ｂの全面が金属板３ｂ、４ｂで覆われた状態になり、吸湿や吸水による強度の低下がなく、耐久性に優れ、石膏ボードの耐火性、断熱性、防音性等の特性を活かした安価な壁パネルである。
【０１０５】
更に、比較例の壁パネル１０ｂ、１０Ａｂのように、日字形に枠組された金属製の枠体３０ｂが設けられてなく、両側に補強材８ｂが設けられているだけであるので、軽量で安価なものにできるし、この補強材８ｂが面から突出してないので、実施例３の壁パネル１ｂの厚みが略１５ｍｍであるのに対して、比較例３と比較例４の壁パネル１０ｂ、１０Ａｂの厚みが略３０ｍｍ（石膏ボード２ｂまたは硬質木片セメント板２０Ａｂの厚みの厚み＋枠体３０ｂの厚み）であるというように、実施例３の壁パネル１ｂの厚みが小さく、ユニット建物に適用したときに内側の部屋の寸法を大きくしたり、加飾の厚みを大きくすることができる。
【０１０６】
この実施例３の壁パネル１ｂを取り付けた取付構造では、補強材８ｂを柱７ｂに直接取り付けたり、前記石膏ボード２ｂの端面を覆う一方の金属板３ｂと、他方の金属板４ｂを、石膏ボード２ｂの端面から外方に突出させて取付片３１ｂを形成し、この取付片３１ｂを建物の柱７ｂに取り付けることができ、取付金具を別途用意する必要がなく、取付の施工性がよい取付構造である。
この壁パネル１ｂを取り付けた建物は、上記壁パネル１ｂの取付構造を備えたものであるから、耐火性と壁の構造強度に優れ、安価に施工性よく構築できる建物である。
【産業上の利用可能性】
【０１０７】
本発明の建物は特に限定しない。例えば、建物ユニットを工場等で製造し、施工現場で組み立てるユニット建物であってもよいし、部材を工場等で製造し、これを組み立てるプレハブ建物でもよいし、ツーバイ木材を使用する枠組壁工法で建てた建物でもよいし、従来の木造建物でもよい。また、住宅でもよいし、倉庫等のその他の建物でもよい。
なお、実施例では、金属板の表面を加飾してないが、金属板の表面に凹凸模様を設けて加飾しもよいし、タイル、石材、塗料等を付加して加飾してもよい。
【０１０８】
タイルや石材を付加して加飾する場合には、適宜な種類の接着剤を使用して接着させればよい。例えば、セメントモルタルや漆喰等の無機質の接着剤でもよいし、弾性エポキシ接着剤等の有機質の接着剤でもよい。有機質の接着剤を使用すると、セメントモルタルと異なり、バーナー等でタイルや石材を加熱すると簡単に剥がすことができるので、タイルや石材が割れたときに簡単に修復することができる利点を持ち合わせている。
【図面の簡単な説明】
【０１０９】
【図１】（イ）は壁パネルの斜視図、（ロ）は（イ）の断面図である。（実施例１）
【図２】端部形態が異なる金属板の断面図である。（実施例１）
【図３】図１の壁パネルの取付構造を示す断面図である。（実施例１）
【図４】比較例１、２の壁パネルであって、（イ）は分解斜視図であり、（ロ）と（ハ）は（イ）のＡ−Ａ線におけるそれぞれの断面図である。（実施例１）
【図５】（イ）は壁パネルの斜視図、（ロ）は（イ）の断面図である。（実施例２）
【図６】端部形状が異なる壁パネルの断面図である。（実施例２）
【０１１０】
【図７】（イ）は、図５の壁パネルの取付構造を示す断面図、（ロ）は、図６の壁パネルの取付構造を示す断面図である。（実施例２）
【図８】比較例３、４の壁パネルであって、（イ）は分解斜視図であり、（ロ）と（ハ）は（イ）のＢ−Ｂ線におけるそれぞれの断面図である。（実施例２）
【図９】（イ）は壁パネルの斜視図、（ロ）は（イ）の断面図、（ハ）は板状体の正面図である。（実施例３）
【図１０】端部形状が異なる壁パネルの断面図である。（実施例３）
【図１１】（イ）は図９の壁パネルの取付構造を示す断面図、（ロ）は図１０の壁パネルの取付構造を示す断面図である。（実施例３）
【符号の説明】
【０１１１】
１、１ａ、１ｂ            壁パネル
２、２ａ、２ｂ            石膏ボード（不燃無機質板体）
３、３ａ、３ｂ            金属板
３Ａ、３Ａａ、３Ａｂ      金属板
３Ｂ                      金属板
３１、３１ａ、３１ｂ      取付片
４、４ａ、４ｂ            金属板
５、５ａ、５ｂ            接着剤
８ｂ                      補強材
９ｂ                      板状体
【図１】
2004293284.tif 000012
【図２】
2004293284.tif 000013
【図３】
2004293284.tif 000014
【図４】
2004293284.tif 000015
【図５】
2004293284.tif 000016
【図６】
2004293284.tif 000017
【図７】
2004293284.tif 000018
【図８】
2004293284.tif 000019
【図９】
2004293284.tif 000020
【図１０】
2004293284.tif 000021
【図１１】
2004293284.tif 000022